(57)【要約】【課題】屋根の上に設置する作業足場の設置初期段階における安全を確保しながら、作業足場の設置の施工性を向上させることができる足場構築方法及び作業足場を提供する。【解決手段】屋根用足場３０は、１対の本体側部に立設された手摺柱と、手摺柱に渡って取り付けられた手摺と、本体側部の間に配置された足場板とを有している。本体側部には、複数の第１係止部と、第２係止部とが突出して設けられている。組み立てた屋根用足場３０を、設置する屋根１１の傾斜に応じた角度の傾斜で、ワイヤＷ１，Ｗ２を介してクレーンで、吊り上げ、屋根１１に設置する。屋根１１に載置した屋根用足場３０と、垂直面用足場２０とを、１対の連結本体部、複数の足場板、複数の手摺を備えた連結ユニットを用いて連結する。【選択図】図１
2017206846.tif 000002
【特許請求の範囲】
【請求項１】
建物の屋根上に屋根用足場を設置する足場構築方法であって、
手摺及び足場板を組み付けた前記屋根用足場を、昇降装置によって吊り上げ、
前記屋根の傾斜に応じた角度に傾斜させた状態で前記屋根に載置することにより、前記屋根用足場を配置することを特徴とする足場構築方法。
【請求項２】
前記屋根に載置した屋根用足場を、連結ユニットにより、前記建物の外壁に沿って配置された垂直面用足場と連結することを特徴とする請求項１に記載の足場構築方法。
【請求項３】
建物の屋根の上に設置され、手摺及び足場板を備える作業足場であって、
吊り上げるためのワイヤを係止するための係止部と、
吊り上げ時における設置面の傾斜角度を調整する傾斜調整機構とを有していることを特徴とする作業足場。
【請求項４】
前記傾斜調整機構を、吊り上げ時における傾斜角度を変更可能な複数の位置に設けた前記係止部により構成したことを特徴とする請求項３に記載の作業足場。
【発明の詳細な説明】
【技術分野】
【０００１】
本発明は、建築物の屋根上で作業を行なう場合に用いられる足場についての足場構築方法及び作業足場に関する。
【背景技術】
【０００２】
屋根において作業を行なう場合、屋根に作業足場を設けることがある。このため、屋根において作業者が安全に作業できる構成の足場が検討されている（例えば、特許文献１参照。）。この文献に記載の作業足場は、屋根面上に縦方向に配設し屋根面の勾配に合わせて角度調整自在なタラップと、このタラップの片側又は両側に起立させた角度調整自在な手摺と、タラップの側部に角度調整自在な足場板支持金具を介して水平方向に結合した足場板と、足場板の片側又は両側に起立させた手摺とを備えている。
【先行技術文献】
【特許文献】
【０００３】
【特許文献１】特開２００２−８９０３３号公報
【発明の概要】
【発明が解決しようとする課題】
【０００４】
通常、屋根に作業足場を設置する場合、屋根の端辺部付近にスタンションを設置し、スタンションに親綱を取り付ける。そして、親綱に安全帯を引掛けた作業員が、足場板の敷設作業を行なって、作業足場を設置する。しかしながら、スタンションや親綱を設置する設置初期段階においては、安全帯を引掛ける設備がなく、例えば、クレーンのフックを利用する等、安全の確保が難しかった。なお、特許文献１においても、屋根の上に作業足場を設置する設置初期段階の安全性や施工性については考慮されていない。
【０００５】
本発明は、上記課題に鑑みてなされ、屋根の上に設置する作業足場の設置初期段階における安全を確保しながら、作業足場の設置の施工性を向上させることができる足場構築方法及び作業足場を提供することにある。
【課題を解決するための手段】
【０００６】
・上記課題を解決する足場構築方法は、建物の屋根上に屋根用足場を設置する足場構築方法であって、手摺及び足場板を組み付けた前記屋根用足場を、昇降装置によって吊り上げ、前記屋根の傾斜に応じた角度に傾斜させた状態で前記屋根に載置することにより、前記屋根用足場を配置する。これにより、屋根の上に設置する足場の設置初期段階における安全性を確保しながら、施工性を向上させることができる。
【０００７】
・上記足場構築方法において、前記屋根に載置した屋根用足場を、連結ユニットにより、前記建物の外壁に沿って配置された垂直面用足場と連結することが好ましい。これにより、屋根に載置した屋根用足場と、外壁に沿って設置された垂直面用足場とを容易に連結することができ、作業性を向上させることができる。
【０００８】
・上記課題を解決する作業足場は、建物の屋根の上に設置され、手摺及び足場板を備える作業足場であって、吊り上げるためのワイヤを係止するための係止部と、吊り上げ時における設置面の傾斜角度を調整する傾斜調整機構とを有している。これにより、屋根に配置する際の荷重分散を図ることができる。
【０００９】
・上記作業足場において、前記傾斜調整機構を、吊り上げ時における傾斜角度を変更可能な複数の位置に設けた前記係止部により構成することが好ましい。これにより、ワイヤを係止させる係止部を選択することにより、作業足場を吊り上げた際の角度を変更可能とすることができる。
【発明の効果】
【００１０】
本発明によれば、屋根の上に設置する作業足場の設置初期段階における安全を確保しながら、作業足場の設置の施工性を向上させることができる。
【図面の簡単な説明】
【００１１】
【図１】本実施形態の足場構築方法を説明する説明図。
【図２】本実施形態の足場構築方法に用いられる屋根用足場の斜視図。
【図３】本実施形態の足場構築方法に用いられる屋根用足場の要部の説明図であって、（ａ）は上面図、（ｂ）は側面図。
【図４】本実施形態の足場構築方法に用いられる屋根用足場の正面断面図。
【図５】本実施形態の足場構築方法を説明する図であって、（ａ）は屋根用足場がきつい傾斜で吊られた状態、（ｂ）は屋根用足場が緩い傾斜で吊られた状態を示す。
【図６】本実施形態の足場構築方法を説明する図であって、（ａ）は屋根用足場を屋根に設置した状態、（ｂ）は屋根用足場と垂直面用足場とを連結した状態を示す。
【発明を実施するための形態】
【００１２】
以下、図１〜図６を用いて、足場構築方法及び作業足場の一実施形態を説明する。
図１に示すように、本実施形態では、工場等の建物１０の屋根１１の解体時に用いる屋根用足場（作業足場）を構築する場合を想定する。
【００１３】
建物１０は、外壁１２の上方に、一方向に傾斜した屋根１１を有している。作業時には、建物１０の一側面（外壁面）に沿うように、垂直面用足場２０を配置する。この垂直面用足場２０は、公知の枠組足場を用い、壁つなぎによって外壁面に固定されている。この垂直面用足場２０は、その最上段の足場板が、屋根１１の下端辺１１ａより上方となるように配置されている。
【００１４】
建物１０の屋根１１の上には、屋根用足場３０を配置する。この場合、屋根用足場３０を、ワイヤＷ１，Ｗ２を介して、クレーン（昇降装置）によって、屋根１１の角度とほぼ同じ角度で吊り下げ、屋根１１に載置する。
【００１５】
次に、図２〜図４を用いて、屋根用足場３０の構成について説明する。
図２は、屋根用足場３０の斜視図、図３（ａ）、図３（ｂ）及び図４は、それぞれ屋根用足場３０の要部の上面図、側面図、正面断面図である。
【００１６】
図２及び図３（ａ）に示すように、屋根用足場３０は、離間した一対（２つ）の本体側部３１と、本体側部３１を連結する複数の根太３２とを備えている。一対の本体側部３１は、左右対称に配置される。本体側部３１及び根太３２は、例えばアルミ製の角パイプにより構成されている。根太３２は、本体側部３１より断面積が小さい角パイプで構成されている。そして、根太３２の下面と本体側部３１の下面とは、ほぼ同じ面となるように配置され、根太３２は、本体側部３１に対して直交して配置されている。更に、各本体側部３１の両端部の下面には、外側に突出させたシート状の滑り止めプレート３４が固着されている。この滑り止めプレート３４には、一列に並んだビス孔が形成されている。
【００１７】
各本体側部３１の一端部側（図の左側）には、複数の第１係止部３１ａ，３１ｂ，３１ｃ，３１ｄ，３１ｅが、外側に突出するように設けられている。また、各本体側部３１の他端部側（図の右側）には、第２係止部３１ｓが、上方に突出するように設けられている。各係止部（３１ａ〜３１ｅ，３１ｓ）は、屋根用足場３０の長手方向（本体側部３１の延在方向）の異なる位置に配置されており、対向する他の本体側部３１の係止部（３１ａ〜３１ｅ，３１ｓ）とそれぞれ対応するように対となって設けられている。また、各係止部（３１ａ〜３１ｅ，３１ｓ）は、ワイヤＷ１，Ｗ２を係止可能な環状部材で構成されている。本実施形態では、複数の第１係止部３１ａ，３１ｂ，３１ｃ，３１ｄ，３１ｅと第２係止部３１ｓとが、傾斜調整機構を構成している。
【００１８】
各第１係止部（３１ａ〜３１ｅ）は、所定の間隔で、ほぼ直線に並んで配置されている。そして、第１係止部（３１ａ〜３１ｅ）のうちの一対と、第２係止部３１ｓとを用いて吊り下げることにより、クレーンのフックと重心位置を変更する。このフックとの重心位置の変更により、吊り下げ時の屋根用足場３０の設置面の傾斜を変更することができる。各第１係止部３１ａ，３１ｂ，３１ｃ，３１ｄ，３１ｅは、それぞれ「４．５寸」、「４寸」、「３．５寸」、「３寸」、「２．５寸」の屋根勾配と同じ傾斜角度となるように、各本体側部３１に配置されている。
【００１９】
図３（ｂ）に示すように、各本体側部３１の上面には、複数の手摺柱３５が、間隔をおいて配置されている。複数の手摺柱３５は、本体側部３１に対して斜めに立設されている。本実施形態では、傾斜した屋根１１に屋根用足場３０を載置したときに、手摺柱３５が垂直に近くなるような角度で固定されている。本実施形態では、屋根用足場３０の設置面が「４．５寸」〜「２．５寸」で傾斜する際に、この範囲内において垂直となるように、垂直方向に対して約２０度で傾斜している。各手摺柱３５は、単管で構成されており、本体側部３１の上面に固定されている。
【００２０】
各手摺柱３５の上端部には、本体側部３１と平行に配置された手摺３６が固定されている。更に、隣接する手摺柱３５の中央部には、手摺３７ａが固定されている。
図４に示すように、本体側部３１の間で、根太３２の上には、複数（４つ）の足場板４１が面一で敷き詰められている。更に、各本体側部３１の上面には、手摺柱３５よりも内側に巾木４２が固定されている。
【００２１】
次に、図１、図２、図５及び図６を用いて、上述した屋根用足場３０を含む足場の構築方法の詳細について説明する。
まず、図１に示すように、建物１０の外壁１２に沿って、垂直面用足場２０を設置する。更に、建物１０の近傍で、屋根用足場３０を組み立てる。
【００２２】
そして、図２に示す屋根用足場３０の第１係止部（３１ａ〜３１ｅ）の一対と、一対の第２係止部３１ｓとにワイヤＷ１，Ｗ２を引掛け、このワイヤＷ１，Ｗ２をクレーンのフックに吊り下げ、屋根用足場３０を吊る。
【００２３】
この場合、屋根１１の傾斜に応じて、ワイヤＷ１，Ｗ２を引掛ける第１係止部（３１ａ〜３１ｅ）を選択する。
例えば、図５（ａ）に示すように、第２係止部３１ｓから遠い第１係止部３１ａを選択した場合には、屋根用足場３０は、第一角度（４．５寸の傾斜）で吊られた状態になる。
【００２４】
また、図５（ｂ）に示すように、第２係止部３１ｓから近い第１係止部３１ｅにワイヤＷ１，Ｗ２を選択した場合には、屋根用足場３０は、第一角度より小さい第２角度（２．５寸の傾斜）で吊られた状態になる。
【００２５】
そして、図１に示すように、クレーンは、屋根用足場３０を、傾斜させた状態で搬送して、建物１０の屋根１１の上に載置する。この場合、垂直面用足場２０との間には、少し隙間を空けて配置する。
【００２６】
図６（ａ）は、屋根１１に設置したときの屋根用足場３０の下端部と、垂直面用足場２０との関係を示している。本実施形態では、垂直面用足場２０の最上段の足場板２１は、屋根１１の下端辺１１ａよりも上方に位置している。この足場板２１には、複数の手摺柱２５が設置されている。屋根用足場３０を連結する部分を除き、水平方向に延在する手摺２６，２７が手摺柱２５に取り付けられて支持されている。
【００２７】
そして、図６（ｂ）に示すように、屋根用足場３０と垂直面用足場２０とを連結ユニット５０を用いて連結する。本実施形態の連結ユニット５０は、１対（２つ）の連結本体部５１、複数の足場板５３及び手摺５５を備えている。連結本体部５１は、角パイプで構成されている。足場板５３は、屋根用足場３０の足場板５３と同様に構成されている。手摺５５は、屋根用足場３０の手摺３６と同様に、単管で構成されている。
【００２８】
連結ユニット５０を用いて連結する場合、まず、連結ユニット５０の各連結本体部５１を、垂直面用足場２０の近傍の位置まで延在させた後、屋根用足場３０の本体側部３１に締結具を用いて固定する。更に、各連結本体部５１の間に、複数の足場板５３を並べて配置する。
【００２９】
次に、手摺５５を、垂直面用足場２０の手摺２６，２７の近傍の位置まで延在させた後、屋根用足場３０の手摺３６や手摺柱３５に締結具を用いて固定する。この場合、連結ユニット５０の手摺５５を、垂直面用足場２０の手摺２６，２７や手摺柱２５に固定してもよい。
以上により、連結ユニット５０の設置が完了する。これにより、屋根用足場３０と垂直面用足場２０とが、連結ユニット５０を介して連結される。
【００３０】
本実施形態によれば、以下のような効果を得ることができる。
（１）本実施形態では、予め組み立てた屋根用足場３０をクレーンで吊って、建物１０の屋根１１に載置する。これにより、屋根用足場３０を屋根１１の上に設置する段階での安全性を確保しながら、施工性を向上させることができる。
【００３１】
（２）本実施形態では、屋根用足場３０を、設置する屋根１１の傾斜に応じた傾斜で吊り上げて、屋根１１に載置する。これにより、屋根用足場３０を屋根１１に配置する際に衝突する衝撃を軽減することができ、配置する際の荷重分散を図ることができる。
【００３２】
（３）本実施形態では、屋根用足場３０の本体側部３１には、複数の第１係止部（３１ａ〜３１ｅ）が、外側に突出するように設けられている。第１係止部（３１ａ〜３１ｅ）の１つ（一対）を選択することにより、フックと重心との位置関係を変更することができる。これにより、吊り下げ時に、屋根用足場３０の傾斜を変更することができる。
【００３３】
（４）本実施形態では、屋根用足場３０を屋根に載置した後、垂直面用足場２０と、連結ユニット５０を用いて連結する。これにより、地上から設置された垂直面用足場２０と屋根用足場３０とを容易に連結することができる。
【００３４】
（５）本実施形態の連結ユニット５０は、１対の連結本体部５１及び手摺５５を備えている。連結本体部５１は、本体側部３１及び垂直面用足場２０に固定される。手摺５５は、屋根用足場３０の手摺３６や手摺柱３５に固定される。これにより、垂直面用足場２０に対する屋根用足場３０の位置に応じて、連結ユニット５０の連結本体部５１や手摺５５の長さを調整しながら垂直面用足場２０と屋根用足場３０とを連結することができる。
【００３５】
また、上記実施形態は、以下のように変更してもよい。
・上記実施形態では、角度調整機構として、複数の第１係止部（３１ａ〜３１ｅ）と第２係止部３１ｓとを設けた。屋根用足場３０の傾斜角度を調整する角度調整機構は、この構成に限定されるものではない。例えば、第１係止部を、屋根用足場３０の延在方向に移動可能で特定の位置で固定可能な構成としてもよい。また、異なる位置に複数の第２係止部を設けて、選択できるようにしてもよい。
【００３６】
・上記実施形態の屋根用足場３０は、本体側部３１の間に足場板４１を面一に配置した。足場板４１の配置は面一に限定されるものではない。例えば、屋根１１が急勾配の場合には、本体側部３１の間に、複数のステップを有した階段を設けてもよい。
【００３７】
・上記実施形態の屋根用足場３０は、２つの手摺３６，３７ａを備えた。手摺３６，３７ａの数、配置、取付構造は、上記実施形態に限定されない。また、滑り止めプレート３４を省略してもよい。
【００３８】
・上記実施形態では、連結ユニット５０は、１対の連結本体部５１、複数の足場板５３及び手摺５５を備えている。連結ユニット５０の構成は、これに限らず、屋根用足場３０と垂直面用足場２０とを連結する構成であればよい。例えば、連結本体部５１を連結する根太や巾木を更に備えた連結ユニットを用いることも可能である。
【００３９】
・上記実施形態では、連結ユニット５０の連結本体部５１及び手摺５５は、締結具を用いて固定した。連結本体部５１及び手摺５５の固定方法は、締結具を用いた方法に限られず、例えば、嵌合によって固定してもよい。具体的には、連結ユニット５０の連結本体部５１及び手摺５５を、屋根用足場３０の本体側部３１及び手摺３６より小さい内径の部材で嵌合させる。そして、屋根用足場３０の本体側部３１及び手摺３６に、連結ユニット５０の連結本体部５１及び手摺５５を、それぞれ嵌合させて固定する。これにより、効率よく固定することができる。
【００４０】
・上記実施形態では、屋根用足場３０は、１面の屋根１１に配置した。屋根用足場３０の適用対象の屋根は、１面に限定されるものではない。例えば、階段状の屋根に適用することも可能である。この場合には、屋根の傾斜面に屋根用足場３０を配置し、屋根の垂直面に垂直面用足場２０を設置して、それらを順次、接続させる。
【００４１】
次に、上記実施形態及び別例から把握できる技術的思想について、それらの効果とともに以下に追記する。
（ａ）前記係止部は、前記延在手方向の一端部側に設けられた複数の第１係止部と、前記延在方向の他端部側に設けられた第２係止部とを有していることを特徴とする請求項４に記載の作業足場。
【００４２】
従って、この（ａ）に記載の発明によれば、第２係止部のワイヤは変更せずに、第１係止部のワイヤを付け替えることにより、作業足場の傾斜を変更することができる。
【符号の説明】
【００４３】
Ｗ１，Ｗ２…ワイヤ、１０…建物、１１…屋根、１２…外壁、２０…垂直面用足場、２１，４１，５３…足場板、２５，３５…手摺柱、２６，２７，３６，３７ａ，５５…手摺、３０…屋根用足場、３１…本体側部、３１ａ，３１ｂ，３１ｃ，３１ｄ，３１ｅ…第１係止部、３１ｓ…第２係止部、３２…根太、３４…滑り止めプレート、４２…巾木、５０…連結ユニット、５１…連結本体部。
【図１】
2017206846.tif 000003
【図２】
2017206846.tif 000004
【図３】
2017206846.tif 000005
【図４】
2017206846.tif 000006
【図５】
2017206846.tif 000007
【図６】
2017206846.tif 000008